(57)【要約】【課題】比較的簡単な構造により装置全体を折りたたみ可能にして収納スペースを少なくし、空気を給排気するエアーホースのホース潰れや材質疲労を防止するエアーマッサージ布団を提供する【解決手段】互いの間に空隙部を有するように配置した一方および他方のマット部と、前記空隙部において折り畳み可能となるように前記マット部間に設けたヒンジ部と、前記一方のマット部の一側部と前記他方のマット部の他側部とに沿ってそれぞれ前記空隙部と直交する方向に配置するとともにこれらの中間部を前記空隙部に沿って内部に収容した複数のエアーホースと、これらのエアーホースにそれぞれ接続され少なくとも前記一方または他方のマット部に配置した複数のエアーバックと、これらのエアーバックに前記エアーホースを経由して空気を給排気するエアー生成装置とを設けたエアーマッサージ布団である。【選択図】      図１
2005000478.tif 000002
【特許請求の範囲】
【請求項１】
互いの間に空隙部を有するように配置した一方および他方のマット部と、前記空隙部において折り畳み可能となるように前記マット部間に設けたヒンジ部と、前記一方のマット部の一側部と前記他方のマット部の他側部とに沿ってそれぞれ前記空隙部と直交する方向に配置するとともにこれらの中間部を前記空隙部に沿って内部に収容した複数のエアーホースと、これら複数のエアーホースにそれぞれ接続され少なくとも前記一方または他方のマット部に配置した複数のエアーバックと、これら複数のエアーバックに前記複数のエアーホースを経由して空気を給排気するエアー生成装置とを設け、前記複数のエアーホースの中間部を前記一方および他方のマット部を広げた状態では前記空隙部に沿って内部に収容し、折り畳んだ状態では前記一方のマット部の一側部から前記他方のマット部の他側部に架け渡すように支持したことを特徴とするエアーマッサージ布団。
【請求項２】
一方のマット部の一側部と他方のマット部の他側部とに沿ってそれぞれ前記空隙部と直交する方向に配置した複数のエアーホースとこれらの中間部にある複数のエアーホースとを、それぞれエルボにより接続したことを特徴とする請求項１に記載のエアーマッサージ布団。
【請求項３】
一方のマット部の一側部と他方のマット部の他側部とに沿ってそれぞれ前記空隙部と直交する方向に配置した複数のエアーホースは、これらのマット部の上面にそれぞれ設けた溝部におのおのを埋設して支持したことを特徴とする請求項１に記載のエアーマッサージ布団。
【発明の詳細な説明】
【０００１】
【発明の属する技術分野】
本発明は、マット部に備えた複数のエアーバックに空気を給排気することで、エアーバックの上方に横たえた身体のマッサージを行うエアーマッサージ布団に関する。
【０００２】
【従来の技術】
従来、全体を複数に分割して折り畳み可能となった空気マット装置において、複数のエアーバック（空気袋）をマットに配置して、これら複数のエアーバックに空気を選択的に順次給排気して人体のマッサージを行うものは知られている。
【０００３】
例えば、図７に示す空気マット装置は、肩受部１０１と腰受部１０２と足受部１０３とからなり、２個所の境界部で３つに折り畳み可能なマット本体１０４にそれぞれ分散した複数のエアーバック（空気袋）１０５〜１１２を設け、給排気装置１１５により発生させた空気をそれぞれのエアーホース１１６を経由して、これらのエアーバック１０５〜１１２に対し選択的に給排気するものである。
【０００４】
この空気マット装置は、不使用時に肩受部１０１と腰受部１０２と足受部１０３とで３つに折り畳んだ場合、各エアーバック１０５〜１１２に接続されたエアーホース１１６は、マット本体１０４の側方に突出した状態となる。このため、エアーホース１１６および給排気装置１１５は、マット本体１０４とは別の保管スペースが必要になる。（例えば、特許文献１参照）
【０００５】
また、図８に示すマット式エアーマッサージ機のマット部１２０には、空気が選択的に給排気される複数のエアーバックを備え、可撓性の部材からなる屈曲部１２１の両側に保形性を有するプラスチックダンボールなどの平板部１２２が一体的に取り付けられている。このマット部１２０は、境界線１２１ａおよび１２１ｂで区画された屈曲部１２１がＵ字状になることで上方に折り畳み可能となっている。
【０００６】
この屈曲部１２１およびその両側にある平板部１２２には、各エアーバックに接続された複数のエアーホース１２３がクランク状に折り曲げて配置され、屈曲部１２１をＵ字状にしてマット部１２０を折り畳んだ際、Ｒ１部分が全長にわたってねじるようになっている。
【０００７】
しかし、このマッサージ機のエアーホース１２３を、マット部１２０を構成する平板部１２２および屈曲部１２１の表面上に配置してあるとした場合には、マッサージをするために身体をマット部１２０に横たえた際に、突出するエアーホース１２３が人体に触れることで不快感を生じたり、エアーホース１２３が潰れたりすることになる。また、エアーホース１２３が平板部１２２および屈曲部１２１の内部に収納してあるとした場合には、マット部１２０を折り畳む際に、平板部１２２や屈曲部１２１を構成する材料が、複数本あるエアーホース１２３のねじれや移動を妨げることになることで円滑な折り畳みが困難となったり、エアーホース１２３が潰れたり材質疲労が生じやすくなる。また、マット部１２０を折り畳んだ状態でも、屈曲部１２１がＵ字状の変形であるために全体を薄く重ねることが困難となる。（例えば、特許文献２参照）
【０００８】
【特許文献１】
特許２７６９０６６号公報（５コラム、図１、２）
【特許文献２】
特開２００１−７９０５１号公報（８、９コラム、図７、８）
【０００９】
【発明が解決しようとする課題】
このようなエアーマッサージ機では、不使用時に全体を折り畳んだ際に広い保管スペースが必要になったり、空気の給排気用エアーホースのホース潰れなどによる機能障害を生じるという上記問題を解決する必要がある。
【００１０】
本発明は、このような点に鑑みなされたもので、比較的簡単な構造により装置全体を折りたたみ可能にして収納スペースを少なくするとともに、空気を給排気するエアーホースのホース潰れや材質疲労を防止するエアーマッサージ布団を提供することを目的とする。
【００１１】
【課題を解決するための手段】
本発明のエアーマッサージ布団は、互いの間に空隙部を有するように配置した一方および他方のマット部と、前記空隙部において折り畳み可能となるように前記マット部間に設けたヒンジ部と、前記一方のマット部の一側部と前記他方のマット部の他側部とに沿ってそれぞれ前記空隙部と直交する方向に配置するとともにこれらの中間部を前記空隙部に沿って内部に収容した複数のエアーホースと、これら複数のエアーホースにそれぞれ接続され少なくとも前記一方または他方のマット部に配置した複数のエアーバックと、これら複数のエアーバックに前記複数のエアーホースを経由して空気を給排気するエアー生成装置とを設け、前記複数のエアーホースの中間部を前記一方および他方のマット部を広げた状態では前記空隙部に沿って内部に収容し、折り畳んだ状態では前記一方のマット部の一側部から前記他方のマット部の他側部に架け渡すように支持したことを特徴とするものである。
【００１２】
【発明の実施の形態】
以下、本発明におけるエアーマッサージ布団の実施形態を、図１から図６を参照して説明する。
【００１３】
図１および図２において、１は、使用可能状態となるよう長手方向に広げたエアーマッサージ布団であり、肉厚で弾力性を有する発泡ウレタン等の合成樹脂材料により、それぞれ全体がほぼ４角形に形成した上部マット部２および下部マット部３を備えている。この上部マット部２の先端両角部には、空気を給排気するエアー生成装置４が着脱可能となって一体的に取付けられ、このエアー生成装置４には６本のエアーホース５が接続されている。上部マット部２の長手方向の上面には、一方の側部に沿ってエアー生成装置４の端部から上部マット部２の後端までほぼコ字状またはＵ字状の溝部６が設けられ、この溝部６には、エアー生成装置４に接続されたエアーホース５が収容され、上方から数個所をひも状のもので固定し埋設されている。
【００１４】
下部マット部３には、その中央部に６個のエアーバック７が長手方向に沿って並列に並べられ、それぞれには前記エアーホース５が接続されている。このエアーバック７は、内部を空洞で外形がほぼ４角形のゴム素材などで成形され、エアーホース５により内部に給排気される空気により膨張と収縮を繰り返すようになっている。また、下部マット部３の上面には、エアーマッサージ布団１の長手方向の中心を基準として前記上部マット部２の一方の側部とは反対側である他方の側部に沿って、長手方向の前端から中央部までコ字状またはＵ字状の溝部８および段部９が設けられている。この溝部８の内部にひも状のもので固定され埋設された各エアーホース５は、段部９を経由して６個のエアーバック７にそれぞれ接続されている。
【００１５】
上述した上部マット２および下部マット３のそれぞれ長手方向の一方の側部および他方の側部に設けられた６本のエアーホース５は、溝部６、８を設けずに、上部マット２および下部マット３の上方平坦面上または肉厚の側面上に複数箇所をひも状のもので固定し、その中間部を空隙部１０に収容することもできる。
【００１６】
特に図２で示すように、上部マット部２と下部マット部３とは、使用状態に広げた場合においてその間に一定の空隙部１０を有して近接した状態で設置できるようになっている。これらの上部マット部２と下部マット部３とが近接するそれぞれの下面には、空隙部１０を維持しつつ軸部１１を中心に下方に回動自在となった２個の金属性のヒンジ部１２が、それぞれ数個所でビス１３により固定されている。この金属製のヒンジ部１２は、合成樹脂製でも良いし、上部マット部２と下部マット部３との近接部に３個以上設けることもできる。
【００１７】
このヒンジ部１２は、耐久性がある厚手の布を使用し、上部マット部２と下部マット部３との間に空隙部１０を設けて近接している下面の数個所、または下面の全体に縫い付けたり接着をしたりすることにより、その中央部から上部マット部２と下部マット部３とともに下方に回動自在として折り畳むことができる。
【００１８】
また、これらの上部マット体２および下部マット体３は、２個の発泡ウレタン等の肉厚素材をそれぞれ丈夫な厚手の布からなるカバーで覆ったもので構成することができる。この場合のヒンジ部１２は、この上部マット体２および下部マット体３の一部を構成する布カバー間に空隙部１０を介して連結する別の布または樹脂製の素材となる。さらに、１枚の厚手の布を全体のカバーとして使用する方法としては、この布カバーの中央部に空隙部を設けるとともに両側を袋状として上部マット部２の素材と下部マット部３の素材とをそれぞれ覆うように収容して上部マット部２と下部マット部３とを構成すれば、前記布カバーの中央部をヒンジ部１２とすることができる。
【００１９】
次に、図１、２、３によりエアーホース５の全体構成について説明する。エアー生成装置４に一端が接続され溝部６を経由した６本のエアーホース５の反対側の各他端は、図３に示すような合成樹脂製からなるＬ字状の第１エルボ１５の流入接続管１６にそれぞれ挿入して気密に接続される。この第１エルボ１５の流出接続管１７には、エアーホース５の中間部の一端が接続され、その他端は第１エルボ１５と同様の形状を有する第２エルボ１８に接続されている。この第２エルボ１８の反対側に接続された各エアーホース５は、前述したように溝部８および段部９を経由しておのおのエアーバック７に接続されている。したがって、各エアーホース５の主要部は、前記空隙部１０およびこの空隙部１０の両端部からそれぞれ相反する直角方向に延びた前記溝部６ならびに溝部８の内部に連続して収容されている。
【００２０】
第１エルボ１５の内部は、６本に分かれた空気の流路が構成されており、その各流路は６本の流入接続管１６および流出接続管１７にそれぞれ１対１の関係をもって連通している。
また、第２エルボ１８についても同様であり、これらのエルボ１５、１８の各流路はエアーホース５の一本一本に独立して連通している。
【００２１】
エアーホース５の他の実施例として、エアーホース５の２個所を直角方向に曲がった流路とするとともに、その曲がった部分をブロック状の塊として容易に変形しないようにすれば、エアーホース５と第１エルボ１５および第２エルボ１８とを同一材料により一体成形することができる。この場合、エアー生成装置４およびエアーバック７は、一本のエアーホース５により接続して連通することができる。このようなエアーホース５の中間部は、上部マット部２と下部マット部３との間に設けられた空隙部１０の中に、長さ方向には弛みおよび外周方向には捩じれることが可能のように多少の余裕をもって収容されるが、上部マット部２および下部マット部３の上面から上方に突出することはない。
【００２２】
次に図５、図６により、使用後に保管をするために、エアーマッサージ布団１を折り畳んだ状態につき説明する。すなわち、上部マット部２と下部マット部３とを結合したヒンジ部１２を上方に持ち上げることにより、ヒンジ部１２は軸部１１を中心に回動して２つに折り畳むことができる。この際、第１エルボ１５と第２エルボ１８とに挟まれた６本のエアーホース５の中間部は、ほぼ１８０度捻られるとともに、上部マット部２と下部マット部３との回動により移動した第１エルボ１５と第２エルボ１８との間にＳ字状に架け渡した状態に変位して維持される。
【００２３】
上記１８０度の捩じれは、エアーホース５の中間部の全長にわたって行われることにより、局部的にエアーホース５が折り曲げられるような場合に比較して、ホース潰れや材料疲労を最小限に抑えることができる。
【００２４】
また、折り畳まれた際の回動によって第１エルボ１５と第２エルボ１８との間の距離は拡大するが、エアーホース５には予めその分の長さに余裕を持たせる弛みを有しているため支障はない。この折り畳んだ状態の第１エルボ１５と第２エルボ１８との間のエアーホース５の長さを確保する方法としては、上部マット部２と下部マット部３とを折り畳んである状態では６本のエアーホース５に捩じれがない状態にしておき、広げた場合にエアーホース５が捩じれることで、第１エルボ１５と第２エルボ１８との間の距離が短くなることに対応できるようにすることも可能である。
【００２５】
エアーマッサージ布団１を折り畳んだ状態では、上部マット部２と下部マット部３とがほとんど密着状態となるため、全体の厚さは上部マット部２と下部マット部３との厚さを加算した寸法に近いものとなる。
【００２６】
次に、図４により前記エアー生成装置４の構成および機能について説明する。上部マット部２の上端両角部に機能を分散して取付けられたエアー生成装置４には、電動機を備えたエアーポンプ２０と、このエアーポンプ２０により発生した空気を６本のエアーホース５を経由して各エアーバック７に供給したり、排気を行う切替装置としてのエアー分配器２１と、これらのエアーポンプ２０およびエアー分配器２１を電気的に制御するための制御手段２２が設けられている。この制御手段２２による制御は、６個のエアーバック７が、例えば１個づつタイミングをずらして順次膨張と収縮とを繰り返したり、１、３、５番目と２、４、６番目とを交互に膨張と収縮とを繰り返す動作を行うようにするものである。
【００２７】
この実施例のエアー生成装置４は、上部マット部２の上端両角部に着脱可能に取付けたが、上部マット部２とは別体に設けることもできる。この別体とした場合、上部マット部２は正４角形とし、溝部６は上部マット部２の先端から後端まで一方の側部に沿って縦断するように設けられる。
【００２８】
次に、上記実施形態のエアーマッサージ布団１の使用状態につき説明する。まず、上部マット部２および下部マット部３を広げたエアーマッサージ布団１の上面において、使用者の上半身は下部マット部３に、下半身は上部マット部２に横たえ、エアー生成装置４に設けた図示しない電源スイッチおよびマッサージモード選択ボタンを入れる。これによりエアーポンプ２０が駆動されるとともに、選択されたマッサージモードにしたがって制御手段２２がコントロールを開始する。エアーポンプ２０から送り出された空気は、エアー分配器２１の切替によりエルボ１５、１８を含むエアーホース５を経由して選択されたエアーバック７を膨張させる。その所定時間後に選択され膨張したエアーバック７から、エアーホース５の内部の空気を逆流させてエアー分配器２１から外部に放出されるように制御手段２２によってコントロールされる。この一連の動作が行われることにより、身体の上半身のマッサージが行われる。
【００２９】
また、下部マット部３に下半身を、上部マット部２に上半身を乗せることにより、下半身のマッサージが行われる。このように、使用者はマッサージ効果を期待する身体の一部をエアーバック７の上方に移動させることにより、順次全身のマッサージが可能になる。これらのマッサージ中に、エアーホース５の中間部は上部マット部２と下部マット部３の空隙部１０の内部に収容されているため、身体にほとんど接触しないので違和感はない。
【００３０】
上記実施の形態では、エアーマッサージ布団の構成を上部マット部と下部マット部とに分割したが、３個または４個のマット部により構成することもできる。この場合のマット間の連結は、少なくとも一個所において上記実施例の構成とすれば同等の効果を奏することができる。また、エアーホースやエアーバックは、６個に限定されることなく１つのマット部に多数個設けることが可能であり、さらに複数のマット部に分散して設けることもできる。またエアーマッサージ布団は、全体を色彩豊かな綿布からなるカバーで覆うことによっても同様な機能を発揮することができる。
【００３１】
【発明の効果】
本発明によれば、比較的簡単な構造により装置全体を折りたたみ可能にして収納スペースを少なくするとともに、空気を給排気するエアーホースのホース潰れや材質疲労を防止するエアーマッサージ布団を提供できる。
【図面の簡単な説明】
【図１】本発明のエアーマッサージ布団の実施形態を示す斜視図である。
【図２】同上エアーマッサージ布団の連結部を示す側面図である。
【図３】同上エアーマッサージ布団のエアーホースの一部であるエルボを示す斜視図である。
【図４】同上エアーマッサージ布団の機能を示すブロック図である。
【図５】同上エアーマッサージ布団を折り畳んだ状態を示す斜視図である。
【図６】同上エアーマッサージ布団を折り畳んだ状態の連結部を示す側面図である。
【図７】従来の空気マット装置を示す斜視図である。
【図８】従来の他のエアーマッサージ機の一部を示す斜視図である。
【符号の説明】
１    エアーマッサージ布団
２    上部マット部（一方または他方のマット部）
３    下部マット部（一方または他方のマット部）
４    エアー生成装置
５    エアーホース
７    エアーバック
１０    空隙部
１２    ヒンジ部
【図１】
2005000478.tif 000003
【図２】
2005000478.tif 000004
【図３】
2005000478.tif 000005
【図４】
2005000478.tif 000006
【図５】
2005000478.tif 000007
【図６】
2005000478.tif 000008
【図７】
2005000478.tif 000009
【図８】
2005000478.tif 000010